(57)【特許請求の範囲】
【請求項１】
天板の四隅部を脚柱で支持してなるテーブルの脚装置であって、複数のテーブルを隣接して配置した際に、隣接する天板の隅部に跨って脚柱を取付けて該脚柱を隣接する複数のテーブルで共用すべく、前記脚柱の上端の少なくとも４箇所に対称に天板への取付部を設けるとともに、中心部にパネル等のオプションの支持部を設け、前記天板の少なくとも隣接する二つの隅部に四分の一円の切欠部を形成し、該切欠部から少なくとも１本の前記脚柱の支持部を露出し、該支持部にパネル等のオプションの支柱を挿入して支持してなることを特徴とするテーブルの脚装置。
【請求項２】
隣接する２枚又は４枚の前記天板の切欠部で形成される開口に、前記脚柱の支持部を露出させ、この複数の支持部を利用して天板の突き合わせ部に沿ってパネルを装着してなる請求項１記載のテーブルの脚装置。
【請求項３】
オプションを支持する前記支柱の基部に前記切欠部の形状に合わせた補填部を形成してなる請求項１又は２記載のテーブルの脚装置。
【発明の詳細な説明】
【０００１】
【発明の属する技術分野】
本発明は、テーブルの脚装置に係わり、更に詳しくは天板の四隅部を脚柱で支持してなるテーブルの脚装置に関するものである。
【０００２】
【従来の技術】
従来、天板の四隅部を脚柱で支持してなるテーブルは各種提供されている。これらのテーブルは単体で用いる外に、複数のテーブルを隣接して互いの天板をつき合わせ状態で設置して使用することも多い。
【０００３】
従来のテーブルは、天板の四隅部に脚柱を固定的に取付けているので、複数のテーブルを隣接して設置すると、各テーブルの脚柱が接近した位置に２本又は４本まとめて存在するようになる。この状態は非常に外観性を損なうばかりでなく、複数のテーブルを一体物として使用する場合には余分な脚柱が存在することになる。
【０００４】
また、隣接するテーブルの天板間にパネルを設置したり、電話台やペントレー、棚板等のオプションを装着する場合には、天板等に特殊な加工を施したり、専用のアタッチメントを必要としていた。
【０００５】
【発明が解決しようとする課題】
そこで、本発明が前述の状況に鑑み、解決しようとするところは、天板の四隅部を脚柱で支持してなるテーブルを複数隣接して設置する場合に、余分な脚柱を不要となして外観性においてスッキリとしたものにすることができるとともに、コストの低減化を図ることができ、更に脚柱を利用してパネル等のオプションを装着することができるようにしたテーブルの脚装置を提供する点にある。
【０００６】
【課題を解決するための手段】
本発明は、前述の課題解決のために、天板の四隅部を脚柱で支持してなるテーブルの脚装置であって、複数のテーブルを隣接して配置した際に、隣接する天板の隅部に跨って脚柱を取付けて該脚柱を隣接する複数のテーブルで共用すべく、前記脚柱の上端の少なくとも４箇所に対称に天板への取付部を設けるとともに、中心部にパネル等のオプションの支持部を設け、前記天板の少なくとも隣接する二つの隅部に四分の一円の切欠部を形成し、該切欠部から少なくとも１本の前記脚柱の支持部を露出し、該支持部にパネル等のオプションの支柱を挿入して支持してなるテーブルの脚装置を構成した。
【０００７】
更に、隣接する２枚又は４枚の前記天板の切欠部で形成される開口に、前記脚柱の支持部を露出させ、この複数の支持部を利用して天板の突き合わせ部に沿ってパネルを装着してなることが好ましい。
【０００８】
そして、オプションを支持する前記支柱の基部に前記切欠部の形状に合わせた補填部を形成してなることがより好ましい。
【０００９】
【発明の実施の形態】
次に本発明の実施の形態を添付図面に基づき更に詳細に説明する。図１〜図５は本発明に係る脚装置の基本構造と該脚装置を採用したテーブルを示し、図６〜図９は脚装置の具体的構造を示し、図中符号Ａはテーブル、１は天板、２は脚柱、３は取付部、４は支持部、５は切欠部をそれぞれ示している。
【００１０】
本発明に係るテーブルの脚装置は、天板１の四隅部を脚柱２，…で支持するものであり、複数のテーブルＡ，…を隣接して配置した際に、隣接する天板１，…の隅部に跨って脚柱２を取付けて該脚柱２を隣接する複数のテーブルＡ，…で共用すべく、前記脚柱２の上端の少なくとも４箇所に対称に天板への取付部３，…を設けるとともに、中心部にパネル等のオプションの支持部４を設けたものである。
【００１１】
ここで、前記天板１は、その少なくとも隣接する二つの隅部に四分の一円の切欠部５，…を形成し、該切欠部５から前記脚柱２の支持部４を露出可能としている。更に、前記天板１の隅部の内方に前記脚柱２を取付けた状態で、該脚柱２が前記切欠部５に露出しないように取付けることができるように構成している。尚、前記切欠部５を設ける代わりに、天板１の四隅部にＲ部を形成し、前記支持部４を露出させることも可能である。
【００１２】
図１及び図２は、４台のテーブルＡ，…を前後左右に対外の天板１，１同士を突き合い状態で近接して設置した配置例を示し、本発明の特徴を最も端的に表している。つまり、周囲において隣接する２枚の天板１，１の隅部に跨って１本の脚柱２を取付け、また中央部において隣接する４枚の天板１，…の隅部に跨って１本の脚柱２を取付けるのである。従来は、４×４の１６本の脚柱２が必要であったのが、本発明では９本の脚柱２で済むのである。
【００１３】
本実施形態の脚柱２は、円柱状の柱部６の上端に該柱部６の直径より大きなフランジ部７を設けたものであり、前記取付部３，…はフランジ部７の回転対称位置に即ち中心角が９０度毎に４箇所に設けている。本実施形態の取付部３は、フランジ部７に設けた孔である。また、前記フランジ部７又は柱部６の中心に、前記支持部４としての孔を設けているが、該支持部４は突起でも良いが、その場合には天板１の下面に突起を逃がすための孔を別途設ける必要がある。
【００１４】
そして、前記脚柱２の取付部３，…に応じて前記天板１の四隅部の下面には、オニメナットを埋設するなどによって螺孔８，…を形成している。この螺孔８，…の位置は、前記天板１の隅部の内方に前記脚柱２を取付けた状態で、該脚柱２が前記切欠部５に露出しないように取付けることができる位置である。そのため、前記脚柱２の取付部３としての孔は、長孔とすることが現実的である。ここで、前記天板１の四隅部にそれぞれ形成した４つの螺孔８，…は、該天板１の側縁に平行に設け、天板１の側縁と再近接の螺孔８との間隔は、螺孔８，８同士の間隔の二分の一に設定している。そして、前記取付部３に下方から挿通した図示しないネジを螺孔８に螺合して取付けるのである。勿論、螺孔８の代わりに前記天板１に貫通孔を形成し、前記取付部３を螺孔として上方からネジ止めすることも原理的には可能である。
【００１５】
図１は、全ての脚柱２，…の支持部４が天板１，…の切欠部５から上面に露出するように天板１に対して脚柱２を取付けた態様であり、また図２及び図３は、単独で用いる全体の四隅部の脚柱２は天板１から側方へ突出しないように取付け、周囲部において隣接した天板１，１に跨って設ける脚柱２は半分を天板１から突出させて取付けたものである。
【００１６】
そして、図１に示した脚柱２，…の天板１，…への取付状態で、図４及び図５に示すように天板１の切欠部５から露出した支持部５，…を利用して、各天板１，１間に目隠し用のパネル９を、該パネル９の両側に設けた支柱１０，１０を支持部５，５に挿入して支持し、隣接する天板１，１の突き合わせ接合部に沿って、また両側縁に沿ってパネル９，…を設けることが可能である。尚、図１及び図３に示した脚柱２，…の天板１，…への取付状態では、隣接する天板１，１の突き合わせ接合部に沿ってのみパネル９，…を設けることが可能である。また、オプションとして前述のパネル９以外にも電話台、証明器具、棚板等を前記脚柱２の支持部４を利用して取付けることができ、またオプションを取付けない場合には、中央部の４つの切欠部５，…で形成された円形凹所にキャップ１１を嵌着しておくことができるようにしている。また、前記支柱１０には、基部に前記切欠部５の形状に合わせた補填部１２を形成することも可能であり、更に支柱１０の直径を切欠部５の円弧に合わせて形成しても良い。
【００１７】
図６及び図７は、第２実施形態の脚柱２を示している。本実施形態の脚柱２は、円形のフランジ部７の周囲であって、前記取付部３，３の中間部に前記切欠部５と同形の円弧状の凹部１３，…を形成したものである。この脚柱２を用いれば、前記取付部３を螺孔８と同形状、同位置に形成した円孔としても、図６のように天板１の隅部に脚柱２が側方に突出せず且つ切欠部５に露出することなく取付けることができるとともに、隣接する２枚の天板１，１に跨って脚柱２を取付けても、また４枚の天板１，…に跨って脚柱２を取付けても、前記切欠部５に露出することなく取付けることができる。尚、図中符号１４は、フランジ部７を天板１の下面に取付部３と螺孔８とを用いて取付けるためのネジを示している。
【００１８】
また、図８及び図９は、前述のように柱部６から側方に突出したフランジ部７を有しない構造の脚柱２の構造と、天板１への取付構造を示している。図８に示した第３実施形態の脚柱２は、柱部６と平面視略同形の取付板１５を該柱部６の上端面にネジ止め等の適宜な手段で固定するとともに、当該取付板１５に前記取付部３，…と支持部４を設け、該取付部３，…に対応する柱部６の側面部に凹所１６，…を形成して前記ネジ１４を下方から取付部３に挿通して天板１の螺孔８に螺合できるようにしたものである。尚、前記取付板１５は柱部６と一体化しても良い。
【００１９】
また、図９に示した第４実施形態の脚柱２は、公知の支持ピン１７と回転引付具１８とを用いて天板１の下面に脚柱２を取付けるようにしたものである。前記支持ピン１７は、一端部に前記螺孔８に螺合して天板１の下面に垂下させる螺軸部１７Ａと他端部に係止部１７Ｂを有するものである。また、前記回転引付具１８は、扁平円柱形の周囲面の一部に開口溝１８Ａを形成するとともに、該開口溝１８Ａの内部に偏心した図示しない傾斜部を形成し、軸方向の端面にドライバーの嵌合部１８Ｂを形成したものである。また、前記脚柱２は、略同一断面形状の円柱状であり、上端面に前記取付部３，…としての孔を形成するとともに、該孔の奥部に連通し且つ側方へ開放した円形穴１９を形成している。
【００２０】
そして、前記天板１の下面に垂下した前記支持ピン１７，…を脚柱２の取付部３，…に同時に挿入し、天板１の下面に脚柱２の上端面を当接した状態で、前記円形穴１９に前記回転引付具１８を挿入して係止部１７Ｂを開口溝１８Ａ内に導入し、該回転引付具１８の嵌合部１８Ｂにドライバーを嵌合して一方向へ回転させて内部の傾斜部で係止部１７Ｂをスライドさせながら回転引付具１８内に引き込み、もって天板１に脚柱２を引き付けて連結するのである。
【００２１】
本発明においては、前記取付部３を用いて天板１の下面に脚柱２を連結する具体的構造に対する限定は不要であり、各種の連結構造を採用することが可能である。
【００２２】
【発明の効果】
以上にしてなる請求項１に係る発明のテーブルの脚装置は、天板の四隅部を脚柱で支持してなるテーブルの脚装置であって、複数のテーブルを隣接して配置した際に、隣接する天板の隅部に跨って脚柱を取付けて該脚柱を隣接する複数のテーブルで共用すべく、前記脚柱の上端の少なくとも４箇所に対称に天板への取付部を設けるとともに、中心部にパネル等のオプションの支持部を設け、前記天板の少なくとも隣接する二つの隅部に四分の一円の切欠部を形成し、該切欠部から少なくとも１本の前記脚柱の支持部を露出し、該支持部にパネル等のオプションの支柱を挿入して支持してなるので、天板の四隅部を脚柱で支持してなるテーブルを複数隣接して設置する場合に、隣接する天板で脚柱を共用し、余分な脚柱を不要となして外観性においてスッキリとしたものにすることができるとともに、コストの低減化を図ることができ、また脚柱を利用してパネル等のオプションを装着することができる。
【００２３】
請求項２によれば、天板等に特殊な加工を施したり、専用のアタッチメントを用いることなく、隣接するテーブルの天板間にパネルを設置したり、電話台やペントレー、棚板等のオプションを装着することができる。
【００２４】
請求項３によれば、オプションを支持する支柱を、切欠部に露出した脚柱の支持部に挿入して支持すると、該支柱の基部に設けた補填部が切欠部に嵌合して埋め尽くすので外観的に好ましいのである。
【図面の簡単な説明】
【図１】本発明に係るテーブルの脚装置を説明するための簡略底面図である。
【図２】同じく簡略底面図である。
【図３】複数のテーブルを隣接して設置した場合の簡略斜視図である。
【図４】複数のテーブルを隣接して設置し、天板間等にパネルを装着する状態を示す分解斜視図である。
【図５】同じくパネルを装着した場合の斜視図である。
【図６】天板の下面に第２実施形態の脚柱を取付けた状態の簡略底面図である。
【図７】同じく天板に脚柱を取付ける様子を示した分解斜視図である。
【図８】第３実施形態の脚柱を示す部分分解斜視図である。
【図９】第４実施形態の脚柱を示す部分分解斜視図である。
【符号の説明】
Ａ  テーブル
１  天板
２  脚柱
３  取付部
４  支持部
５  切欠部
６  柱部
７  フランジ部
８  螺孔
９  パネル
１０  支柱
１１  キャップ
１２  補填部
１３  凹部
１４  ネジ
１５  取付板
１６  凹所
１７  支持ピン
１８  回転引付具
１９  円形穴
【図１】
0003685048.tif 000002
【図２】
0003685048.tif 000003
【図３】
0003685048.tif 000004
【図４】
0003685048.tif 000005
【図５】
0003685048.tif 000006
【図６】
0003685048.tif 000007
【図７】
0003685048.tif 000008
【図８】
0003685048.tif 000009
【図９】
0003685048.tif 000010